(57)【特許請求の範囲】
【請求項１】
被検体内の情報を計測する光学センサであって、
前記被検体に光を照射する少なくとも１つの光照射器と、
前記被検体内を伝播し該被検体から出射した光を検出する少なくとも１つの光検出器と、を備え、
前記光照射器は、複数の光源を含み、
前記複数の光源からの複数の光は、前記被検体の異なる複数位置に個別に入射され、
前記複数の光源は、直径が２ｍｍ以下の同一の仮想円形領域内に１次元又は２次元に配置され、
前記複数の光源それぞれの前記仮想円形領域内における占有面積は、直径が０．５ｍｍの円の面積以上である光学センサ。
【請求項２】
前記少なくとも１つの光照射器は、複数の光照射器であり、
前記少なくとも１つの光検出器は、複数の光検出器であり、
前記光照射器及び前記光検出器は、前記被検体上に格子状に交互に配置されることを特徴とする請求項１に記載の光学センサ。
【請求項３】
前記複数の光源それぞれは、発光ダイオードであることを特徴とする請求項１又は２に記載の光学センサ。
【請求項４】
前記光照射器は、筐体と、前記複数の光源からの光の光路上に位置するように前記筐体に設けられた屈折率分布が一様でない光透過窓部材とを含み、
前記複数の光源から出射され前記光透過窓部材を透過した光が前記被検体に入射されることを特徴とする請求項１〜３のいずれか一項に記載の光学センサ。
【請求項５】
前記光照射器は、筐体と、前記複数の光源に対応し、対応する前記光源からの光の光路上に位置するように前記筐体に突設された、前記被検体に先端部が接触する複数の接触部材と、を含み、
前記複数の接触部材それぞれは、対応する前記光源からの光を先端部から出射することを特徴とする請求項１〜３のいずれか一項に記載の光学センサ。
【請求項６】
前記複数の接触部材それぞれの先端部は、０．２５ｍｍ〜１ｍｍの曲率半径を有することを特徴とする請求項５に記載の光学センサ。
【請求項７】
前記複数の接触部材それぞれは、弾性体からなることを特徴とする請求項５又は６に記載の光学センサ。
【請求項８】
前記弾性体の弾性率は、１Ｅ５Ｐａ以下であることを特徴とする請求項７に記載の光学センサ。
【請求項９】
前記複数の光源のうち少なくとも２つの光源の発光波長は、互いに異なることを特徴とする請求項１〜８のいずれか一項に記載の光学センサ。
【請求項１０】
前記発光波長は、７００ｎｍ〜９００ｎｍであることを特徴とする請求項９に記載の光学センサ。
【請求項１１】
請求項１〜１０のいずれか一項に記載の光学センサを備え、
前記光学センサでの計測結果に基づいて、前記被検体の内部特性を推定する光学検査装置。
【請求項１２】
請求項１〜１０のいずれか一項に記載の光学センサでの計測結果に基づいて、前記被検体の内部特性を推定する工程を含む内部特性推定方法。
【発明の詳細な説明】
【技術分野】
【０００１】
本発明は、光学センサ、光学検査装置、および内部特性推定方法に係り、更に詳しくは、被検体内の情報を計測する光学センサ、該光学センサを備える光学検査装置、および前記被検体の内部特性を推定する内部特性推定方法に関する。
【背景技術】
【０００２】
従来、生体（被検体）に光を照射し、該被検体内を伝播した光を検出することで該被検体内の情報を計測する生体光計測装置が知られている（例えば特許文献１参照）。
【発明の概要】
【発明が解決しようとする課題】
【０００３】
特許文献１に開示されている生体光計測装置では、手間をかけずに被検体内の情報をより多く得ることが望まれていた。
【課題を解決するための手段】
【０００４】
本発明は、被検体内の情報を計測する光学センサであって、前記被検体に光を照射する少なくとも１つの光照射器と、前記被検体内を伝播し該被検体から出射した光を検出する少なくとも１つの光検出器と、を備え、前記光照射器は、複数の光源を含み、前記複数の光源からの複数の光は、前記被検体の異なる複数位置に個別に入射され、前記複数の光源は、直径が２ｍｍ以下の同一の仮想円形領域内に１次元又は２次元に配置され、前記複数の光源それぞれの前記仮想円形領域内における占有面積は、直径が０．５ｍｍの円の面積以上である光学センサである。
【発明の効果】
【０００５】
本発明によれば、手間をかけずに被検体内の情報をより多く得ることができる。
【図面の簡単な説明】
【０００６】
【図１】本発明の一実施形態に係る光学検査装置の概略構成を説明するための図である。
【図２】光学センサにおける複数の光源モジュールと複数の検出モジュールの配置を説明するための図である。
【図３】光源モジュールの概略構成を説明するための図である。
【図４】ＬＥＤアレイの一例を説明するための図である。
【図５】光源モジュールの構成の一例を示す図である。
【図６】光源モジュールの構成の他の例を示す図である。
【図７】光源モジュールの大きさ（設置面積）について説明するための図である。
【図８】突起状の接触部材について説明するための図である。
【図９】検出モジュールの概略構成を説明するための図である。
【図１０】光源モジュールと検出モジュールの動作を説明するための図である。
【図１１】大脳皮質内の血流濃度を推定する方法を説明するためのフローチャートである。
【図１２】変分ベイズ法のアルゴリズムに関するフローチャートである。
【図１３】制御部の構成を示すブロック図である。
【発明を実施するための形態】
【０００７】
以下に、本発明の一実施形態を図１〜図１３に基づいて説明する。図１には、本実施形態に係る光学検査装置１００の概略構成が示されている。
【０００８】
光学検査装置１００は、一例として、拡散光トモグラフィー（ＤＯＴ）に用いられる。ＤＯＴは、例えば生体などの被検体（散乱体）に光を照射し、被検体内を伝播した光を検出して、被検体の内部特性を推定する技術である。特に、脳内の血流を検出することで、うつ症状の鑑別診断補助やリハビリテーションの補助機器として利用されている。
【０００９】
光学検査装置１００は、図１に示されるように、光学センサ１０、制御部、表示部、計算部などを備えている。
【００１０】
光学センサ１０は、被検体中の吸光体を検出するセンサとして汎用的に利用できるが、最も利用価値が高い被検体は生体である。
【００１１】
光学センサ１０は、一例として、図２に示されるように、複数（例えば８つ）の光源モジュールＬＭを含む照射系と、複数（例えば８つ）の検出モジュールＤＭを含む検出系と、を備えている。複数の光源モジュールＬＭおよび複数の検出モジュールＤＭは、それぞれ制御部に対して電気配線を介して接続されている。本明細書中、光源モジュールおよび検出モジュールを、区別しない場合は、プローブとも呼ぶ。また、本実施形態では、適宜、生体、被検体の文言を用いるが、生体が被検体の具体例であることに変わりはない。プローブは、被検体内の情報を計測する際、該被検体に装着される。
【００１２】
制御部は、各光源モジュールＬＭにおける光源の発光タイミングや各検出モジュールＤＭでの検出タイミングを制御して、得られた検出結果を記録部（Ａ−３、図１３参照）に転送する。また、制御部は、記録部（Ａ−３）に記録されているデータを読み取り、その数値を利用した計算を行い、その計算結果を表示部に表示させる制御を行う。
【００１３】
制御部は、図１３のブロック図に示されるように構成されている。制御部では、中央処理装置Ａ−１からの情報によって、スイッチ部が制御され、発光する光源モジュールＬＭが選択される。このとき、スイッチ部を介して光源モジュールＬＭに供給される電流が電流制御部で所望の値に制御される。検出モジュールＤＭでの検出結果（データ）は、Ａ／Ｄ変換され、演算部（Ａ−２）で平均化処理などの演算が行われる。演算部（Ａ−２）での演算結果は、順次記録部（Ａ−３）に記録される。
【００１４】
図２に示されるように、８つの光源モジュールＬＭおよび８つの検出モジュールＤＭは、一例として、生体（不図示）上に、互いに直交するＸ方向およびＹ方向のいずれに関しても光源モジュールＬＭと検出モジュールＤＭとが隣り合うようにＸ方向およびＹ方向に等ピッチａ（例えば３０ｍｍ）でマトリクス状に配置される。すなわち、光源モジュールＬＭと検出モジュールＤＭは、正方格子状に交互に配置される。図２では、ＬＭは四角印で示され、ＤＭは丸印で示されている。ここでは、生体側を＋Ｚ側とする。なお、光源モジュールＬＭと検出モジュールＤＭの配置は、上記マトリクス状の配置に限らず、適宜変更可能である。
【００１５】
光源モジュールＬＭは、図３に示されるように、一例として、複数のＬＥＤを含むＬＥＤアレイ、複数のＬＥＤからの光の光路上に個別に配置された複数のレンズ（図５、図６参照）、ＬＥＤアレイが実装されたセラミックパッケージ（図４参照）、フレキ基板上に設けられた複数の配線（図４参照）を介してＬＥＤアレイに接続されたアナログ電子回路、該アナログ電子回路に一端が接続され他端が制御部に接続された配線、コネクタ部（不図示）、これらが収容された筐体、該筐体に設けられ、被検体と接触する透明樹脂からなる窓部材（光透過窓部材）などを含む。
【００１６】
各ＬＥＤからの光は、対応するレンズで平行光とされ、窓部材を介して、筐体外に出射される（図５、図６参照）。窓部材は、光源モジュールＬＭの被検体への装着性を良くするために出射端に配置されている。
【００１７】
光源に長寿命の安定したＬＥＤを用いることで、計測のバラツキを減らし、計測精度を向上させることができる。ＬＥＤアレイの各ＬＥＤの点灯タイミングを制御させることで、該ＬＥＤからの光を被験体に順次照射することができる。また、窓部材の材料に透明樹脂を用いることで、被検体への装着が容易になる。
【００１８】
光源モジュールＬＭを被検体に装着するときには、窓部材と被検体表面との間に透明なジェルを介在させ、空気が入らないようにする。ジェルとしては、例えば、生体と整合性の良い粘性の高いグリセリン水溶液が挙げられる。ジェルは、屈折率が被検体表面に近くなるように調合されることが好ましい。
【００１９】
従来の光源モジュールでは、空気中に一旦放射された光が被検体表面から被検体内に伝播していく。このとき、空気中の屈折率１．０と被検体の屈折率（例えば頭皮の屈折率１．６０）との間で、屈折率差が生じてしまう。屈折率差が生じることで、反射および散乱が起きてしまう。そこで、本実施形態のようにジェルを使用することで屈折率差による反射、散乱を抑制することができる。
【００２０】
図５及び図６には、光源モジュールＬＭの構成の一例が示されている。各レンズとしては、ＬＥＤからの光を精度良く平行光にするために、非球面レンズが用いられている。
【００２１】
光源モジュールＬＭを組み立てる際、各レンズは、筐体底面に実装された対応するＬＥＤに対して筐体内で位置決めされた後、筐体に窓部材が取り付けられることで封止されるため、計測中の該レンズの位置ずれが防止される。
【００２２】
図５に示される例では、各ＬＥＤから出射されレンズを介した光は、屈折率が一様に分布する窓部材に垂直に（入射角０で）入射される。この場合、窓部材に入射した光は、窓部材内をそのまま直進し、出射される。すなわち、この場合、互いに平行な複数の光を被検体の異なる複数位置に個別に入射させることができる。
【００２３】
一方、図６に示される例では、窓部材の屈折率は、非一様に分布している。例えば、窓部材は、互いに異なる屈折率ｎ１、ｎ２（ｎ１＜ｎ２）の部分を有している。窓部材の屈折率分布が図６に示されるようにＬＥＤからの光に対して傾斜した分布を持っている場合、この屈折率分布の複数（例えば２つ）の境界面に複数（例えば２つ）のＬＥＤからの複数（例えば２つ）の光を個別に入射させると、入射した光は境界面で反射され、窓部材から被検体に向けて傾斜した状態で出射する。この結果、複数（例えば２つ）の出射光を異なる強度分布で被検体の異なる複数（例えば２つ）の位置に個別に入射させることができ、被検体内の情報をより多く得ることができる。
【００２４】
各ＬＥＤの発光波長としては、生体組織を透過しやすい近赤外域（７００ｎｍ〜９００ｎｍ）を用いることが好ましい。複数の発光波長で計測することでも、被検体内の情報をより多く得ることができる。
【００２５】
そこで、本実施形態では、各ＬＥＤの発光波長として、一例として２種類の発光波長（７８０ｎｍ、９００ｎｍ）を用いる。なお、ＬＥＤアレイにおけるＬＥＤの個数に応じて、発光波長の種類を１種類又は３種類以上にしても良い。
【００２６】
ここで、光源モジュールＬＭの被検体に対する設置面の最大寸法は、頭部への装着性を考えて毛根間隔（約２ｍｍ）以下であることが望ましい。すなわち、光源モジュールＬＭの被検体に対する設置面は、直径２ｍｍの仮想円形領域内に収まることが好ましい。この場合、図７に示されるように、光源モジュールＬＭと頭皮との間に毛髪を介在させることなく頭皮に直接的に光を入射させることができる。なお、図７では、レンズ、窓部材の図示が省略されている。
【００２７】
そこで、ＬＥＤアレイは、光源モジュールＬＭの一部なので、最大寸法が上記毛根間隔以下となるように、すなわち直径２ｍｍの仮想円形領域内に収まるようにレイアウト（構成）されることが好ましい。すなわち、ＬＥＤアレイにおける複数のＬＥＤが上記仮想円形領域内に１次元又は２次元に配置されることが好ましい。そして、各ＬＥＤ（光源）のサイズは、推定を行うのに必要な演算装置の性能や検出モジュールＤＭの検出精度により検出可能なサイズは異なるため、条件に応じて決める必要がある。
【００２８】
ただし、出力一定で光源を小さくして行くとエネルギー密度が高くなり、生体に照射すると害を及ぼす可能性があるため、光源サイズを決める際は光源の安全基準を考慮する必要がある。
【００２９】
そこで、本実施形態では、図４に示されるように、ＬＥＤアレイを全ＬＥＤが直径２ｍｍの同一の仮想円形領域内に収まるように構成し、かつ各ＬＥＤのサイズを直径０．５ｍｍの円の面積（０．２５ｍｍ２）以上に設定している。このように、各ＬＥＤは、微小光源である。
【００３０】
また、光源モジュールＬＭは、図８に示されるように、複数のＬＥＤに対応し、対応するＬＥＤからの光の光路上に位置するように筐体に突設され、該光を被検体に接触する先端部から出射する突起状の複数の接触部材を有していても良い。この場合、筐体における各接触部材が設けられる箇所に、該接触部材にＬＥＤからの光を入射させるための開口が形成されることが好ましい。また、各接触部材の内部に、基端と先端との間で延びる光通過路が形成されることが好ましい。なお、図８では、レンズの図示が省略されている。
【００３１】
平面度の高い透明樹脂製の窓部材では、該窓部材と頭皮との間に毛髪が入ってしまった場合に、窓部材と頭皮との間に空気層が介在してしまう。空気層は屈折率が１であり、窓部材（樹脂）の屈折率を１．５、頭皮の屈折率を１．３とすると、この界面での反射が大きく無視できなくなる。
【００３２】
そこで、窓部材に代えて突起状の接触部材を用いることで、光を出射する接触部材の先端部のみを選択的に頭皮に接触させることが可能となる。
【００３３】
また、接触部材の先端部を先細りの形状（例えば円錐、角錐等）とすることで、より皮膚との接触が選択的になされる。先端部は曲率半径Ｒが小さいと、皮膚を傷つけ、痛みを感じることになる。痛みを感じ無いようにするには、曲率半径Ｒを０．２５ｍｍ以上に設定することが好ましい。
【００３４】
逆に、曲率半径Ｒが大きすぎると、接触部材の先端部で毛髪を頭皮に押し付けることになってしまい、装着性が悪くなるため、曲率半径Ｒは１ｍｍ以下であることが望ましい。曲率半径Ｒが１ｍｍを超えてしまうと、人の毛根間隔が２ｍｍ程度であるため、毛髪の上に重なってしまう可能性が高くなるからである。
【００３５】
そして、接触部材は、弾性体（弾性変形可能なもの）からなることが望まれる。例えば、この弾性体は、例えばシリコーンのように弾性率が１Ｅ５Ｐａ以下になるような材料であれば、痛みを感じることがない。なぜなら、人間の皮膚の弾性率が約１Ｅ４Ｐａ程度であり、それよりも小さいものであれば、皮膚の変形を生じる前に接触部材が変形を起こすからである。
【００３６】
フレキ基板には、スイッチング用の半導体や電流安定化用の半導体が配置されている。スイッチング用の半導体により、ＬＥＤのＯＮ／ＯＦＦ（点灯／消灯）が制御される。スイッチング用半導体は、外部のシリアル信号によって、選択されたＬＥＤを発光させる。このシリアル信号用の信号線の一端、電源供給線の一端は、アナログ電子回路に接続され、該信号線の他端、電源供給線の他端は、制御部に接続されている。
【００３７】
以上の説明から分かるように、被検体に装着された光源モジュールＬＭは、該被検体の異なる複数位置に複数の光を個別に照射可能である。
【００３８】
検出モジュールＤＭは、図９に示されるように、受光部およびアナログ電子回路が実装されたフレキ基板（不図示）、該フレキ基板に接続された配線、コネクタ部（不図示）、筐体を含んで構成されている。
【００３９】
被検体に装着された検出モジュールＤＭは、図１０に示されるように、光源モジュールＬＭから被検体に照射され該被検体を伝播した光を被検体の同一位置から受光部に入射させる。
【００４０】
以下に、検出モジュールＤＭについて詳しく説明する。検出モジュールＤＭは黒い樹脂製の筐体、該筐体の先端に取り付けられた弾性体からなる接触部材、受光部を含んで構成されている。筐体の先端および接触部材には、アパーチャ（開口）が形成されている。
【００４１】
受光部としては、一例として、フォトダイオード（ＰＤ）が用いられる。受光部は電気配線を介してオペアンプに接続されている。検出される光量は非常に小さいため、オペアンプの倍率は高めの２段階の構成されている。例えば、前段で約５桁程度の倍率をかけ、後段では３桁程度の倍率をかける。
【００４２】
接触部材としては遮光性及び装着性を高めるために黒いゴム製のものを利用している。
【００４３】
アパーチャは、筐体の先端および接触部材を貫通する例えば約１ｍｍ程度の円形の穴であり、被検体内を伝播して出てくる光の位置を限定する機能を有している。
【００４４】
上述した被検体からの光が「同一位置」から受光部に入射されることは、このアパーチャによって実現されている。
【００４５】
以下に、生体の大脳皮質内の血流濃度（生体の内部特性）を推定する方法を説明する。
【００４６】
先ず、プローブ（光源モジュールＬＭおよび検出モジュールＤＭ）を生体の頭部にセッティング（装着）する。この際、頭部と各プローブとの間に透明ジェルを塗布し、透明ジェルに気泡が入らないように、固定部材によって決められた位置にセッティングする。
【００４７】
プローブは、光源モジュールＬＭが８個、検出モジュールＤＭが８個の計１６個であり、光源モジュールＬＭと検出モジュールＤＭを格子状に交互に等ピッチで配置する（図２参照）。格子のピッチａ（格子点間隔）が３０ｍｍであり、光源モジュールＬＭと検出モジュールＤＭとの間隔が３０ｍｍとなる。
【００４８】
そこで、光源モジュールＬＭのＬＥＤを発光させて頭部に光を照射する。発光は、各光源モジュールＬＭ毎に、さらに該光源モジュールのＬＥＤ毎に順に行う。本実施形態では、光の強度が生体に害を及ぼさない程度の大きさ（例えば４ｍＷ）になるように電流値を決定している。発光時間は例えば１０ｍｓｅｃ程度とした。ＬＥＤが発光中は、全ての受光部で光を検出して値を読み取り、１ｍｓｅｃの発光および計測、データ格納を繰り返す。ある光源モジュールＬＭを用いた測定を終えた段階で、別の光源モジュールＬＭでも同様の測定を順に実行して行き、全ての光源モジュールＬＭについて測定データ（光強度データ）を得る。
【００４９】
以上のようにして得られた光強度データから、大脳皮質内の血流濃度を推定するが、その際、事前情報として頭部モデル、および該頭部モデルの情報から得られる感度分布を用いて、図１１のフローチャートに従って推定を行う。
【００５０】
最初のステップＳ３０１では、推定に必要な光強度データを取得する。具体的には、安静時、脳活動時それぞれで上述のような光強度測定を行い、それらのデータから複数の波長・偏光毎およびプローブセット毎に光強度変化情報を取得する。光強度変化情報は、例えば光強度の変化率、光強度の変化率の対数をとった値、光強度の変化量等である。
【００５１】
次のステップＳ３０２では、推定に必要な初期値を読み出す。本実施形態の場合、初期値として推定に必要なのは大脳皮質の各ボクセルにおける正則化に関するガンマ分布のシェイプパラメータγα０ｉ、大脳皮質の各ボクセルにおけるガンマ分布の平均値α０ｉ￣（￣はαの真上に配置）、頭皮の各ボクセルにおける正則化に関するガンマ分布のシェイプパラメータγβ０および頭皮の各ボクセルにおけるガンマ分布の平均値β０￣（￣はβの真上に配置）である。
【００５２】
次のステップＳ３０３では、初期値を基に、後述する変分ベイズ法と呼ばれる方法を用いて逆問題の推定を行う。
【００５３】
次のステップＳ３０４では、推定結果が収束したか否かを判断する。ここでの判断が肯定された場合（収束した場合）は、ステップＳ３０５に移行し、否定された場合は、ステップＳ３０３に戻り、再推定する。
【００５４】
ステップＳ３０５では、推定結果を処理し、得られた結果を可視化する。
【００５５】
以下では、ステップＳ３０３の変分ベイズ法について、図１２のフローチャートを用いて説明する。
【００５６】
変分ベイズ法の計算では、２つのステップにより、血流内のオキシヘモグロビン・デオキシヘモグロビンの濃度変化を推定する。
【００５７】
最初のステップＳ４０１は、「Ｘ，σ最大化ステップ」と呼ばれる。このステップでは次のステップＳ４０２で必要な量を計算している。ここで、Ｘはヘモグロビンの濃度変化、σは脳活動時の分散共分散行列の安静時に比べての割合の逆数である。図１２に記載されているΣは、次の（１）式で定義される。
【００５８】
【数１】
0006476603.tif 000002
【００５９】
上記（１）式において、Σｙは安静時の観測値Ｙの分散共分散行列である。Ｇは感度行列であり、右上の添字で、大脳皮質(cortex)か頭皮(scalp)かを、右下の添字で酸素を含むヘモグロビン(Oxy Hb)か、酸素を含まないヘモグロビン(Deoxy Hb)かを示している。Ｗはスムージングフィルタで、右上のＴがある行列は転置行列であることを示している。
【００６０】
次のステップＳ４０２は、「Α、β最大化ステップ」と呼ばれ、大脳皮質の各ボクセルにおける正則化に関するガンマ分布のシェイプパラメータγαｉ、大脳皮質の各ボクセルにおけるガンマ分布の平均値αｉ￣（￣はαの真上に配置）、頭皮の各ボクセルにおける正則化に関するガンマ分布のシェイプパラメータγβ、および頭皮の各ボクセルにおけるガンマ分布の平均値β￣（￣はβの真上に配置）を計算する。これら４つの値が収束する（ｎ回目と（ｎ−１）回目の値との差が指定した範囲内である）ならば（ステップＳ４０３においてＹｅｓ）、計算の最後に再度Ｘ、σを計算した（ステップＳ４０４）後に終了する。一方、これら４つの値が収束しないならば（ステップＳ４０３においてＮｏ）、ステップＳ４０１に戻る。ここで、Αはそれぞれのボクセルにおける、正則化に関するパラメータを対角成分に持つ行列、βは頭皮における正則化に関するパラメータである。
【００６１】
以上のようにして、ヘモグロビンの濃度変化Ｘが推定される。変分ベイズ法の詳細に関しては、特開２０１２−１８７３７６号公報に譲る。
【００６２】
以上説明した本実施形態の光学センサ１０は、被検体内の情報を計測する光学センサであり、被検体に光を照射する複数の光源モジュールＬＭ（光照射器）と、被検体内を伝播し該被検体から出射した光を検出する複数の検出モジュールＤＭ（光検出器）と、を備え、複数の光源モジュールＬＭそれぞれは、複数の光源（微小光源）を含み、該複数の光源からの複数の光は、被検体の異なる複数位置に個別に入射される。
【００６３】
この場合、各光源モジュールＬＭから被検体の異なる複数位置に個別に入射され、被検体内の異なる複数経路を伝播した複数の光を少なくとも１つの検出モジュールＤＭで検出できる。この結果、単一の光源を含む光源モジュールに比べ、光源モジュール毎に得られる被検体内の情報量を増やすことができる。すなわち、少数の光源モジュールを用いて被検体内の情報を多く得ることができる。
【００６４】
結果として、光学センサ１０では、光源モジュールＬＭを被検体上に高密度に多数配置しなくても、被検体内の情報をより多く得ることができる。すなわち、手間をかけずに被検体内の情報をより多く得ることができる。
【００６５】
また、光源モジュールＬＭは、複数の微小光源を含むため、例えば単一の光源を含む光源モジュールのサイズ以下のサイズに設計することができる。この場合、光源モジュールＬＭは、被検体の微小領域（例えば頭皮の毛根間の領域）への装着性が、単一の光源を含む光源モジュールに劣らない。
【００６６】
また、光源モジュールＬＭ及び検出モジュールＤＭが、被検体上に格子状に交互に配置される場合、光源モジュールＬＭ及び検出モジュールＤＭを移動させることなく、被検体内の情報を効率的に得ることができる。
【００６７】
また、複数の微小光源が、直径が２ｍｍ以下の仮想円形領域内に配置される場合、光源モジュールＬＭの小型化を図りつつ（被検体の微小領域（例えば頭皮の毛根間の領域）への装着性を向上させつつ）被検体内の情報をより多く得ることができる。
【００６８】
また、複数の微小光源それぞれの上記仮想円形領域内における占有面積が、直径が０．５ｍｍの円の面積以上である場合、エネルギー密度が過剰になることを抑制でき、被検体に害を及ぼすのを防止できる。
【００６９】
また、複数の微小光源それぞれが、ＬＥＤ（発光ダイオード）である場合、長寿命化及び出力の安定化を図ることができ、ひいては信頼性及び計測精度を向上できる。
【００７０】
また、光源モジュールＬＭが、筐体と、複数の微小光源からの光の光路上に位置するように筐体に設けられた屈折率分布が一様でない窓部材とを含み、複数のＬＥＤから出射され窓部材を透過した光が被検体に入射される場合、被検体への光源モジュールＬＭの装着性を向上させることができ、かつ複数の微小光源からの光を角度を持たせて被検体の異なる位置に入射させることができる。
【００７１】
また、光源モジュールＬＭが、筐体と、複数の微小光源に対応し、対応する微小光源からの光の光路上に位置するように筐体に突設された、被検体に先端部が接触する複数の接触部材とを含み、複数の接触部材それぞれは、対応する微小光源からの光を先端部から被検体に向けて出射する場合、被検体の微小領域（例えば頭皮の毛根間の領域）への装着性を向上させることができ、例えば毛髪による光量低下を防ぐことが可能となり、精度の良い計測が可能となる。
【００７２】
また、接触部材の先端部が、０．２５ｍｍ〜１ｍｍの曲率半径を有している場合、装着性を損なうことなく被検体が傷むのを防止できる。
【００７３】
また、接触部材が、弾性体からなる場合、被検体が傷むのを防止できる。
【００７４】
また、上記弾性体の弾性率が、１Ｅ５Ｐａ以下である場合、被検体が傷むのをより確実に防止できる。
【００７５】
また、複数のＬＥＤのうち少なくとも２つのＬＥＤの発光波長が、互いに異なる場合、被検体内の情報をさらにより多く得ることができる。
【００７６】
また、上記発光波長が、７００ｎｍ〜９００ｎｍである場合、生体（被検体）の透過率が高く、計測精度の向上を図ることができる。
【００７７】
また、本実施形態の光学検査装置１００は、光学センサ１０での計測結果に基づいて被検体の内部特性を推定するため、該内部特性（例えばヘモグロビンの濃度変化）を精度良く推定できる。
【００７８】
また、本実施形態の内部特性推定方法は、光学センサ１０での計測結果に基づいて被検体の内部特性を推定するため、該内部特性（例えばヘモグロビンの濃度変化）を精度良く推定できる。
【００７９】
なお、上記実施形態では、光源モジュールＬＭの微小光源として、ＬＥＤが用いられているが、これに限らず、例えば、ＬＤ（端面発光レーザ）、ＶＣＳＥＬ（面発光レーザ）、有機ＥＬ素子などを用いても良い。この場合も、複数の微小光源を直径２ｍｍ以下の仮想円形領域内に１次元又は２次元に配置することが好ましい。また、この場合も、微小光源の上記仮想円形領域内における占有面積を、直径が０．５ｍｍの円の面積以上に設定することが好ましい。
【００８０】
ここで、ＬＤ（端面発光レーザ）は放射角が非対称であり、レンズで精度の良い平行光をつくるには、曲率が縦と横とで異なるレンズやシリンドリカルレンズを２枚組み合わせる必要があり、構成が複雑になり、実装も高精度なものが必要となる。
【００８１】
これに対し、面発光レーザ（ＶＣＳＥＬ）からの出射光の断面形状（ファーフィールドパターン）はほぼ円形であるため、出射光の断面形状が楕円形である端面発光レーザ（ＬＤ）と違い、回転方向の設置誤差はほとんどない。そのため、平行光を作るには例えば球面レンズを１つ設ければ良い。
【００８２】
以上の説明から分かるように、本発明の光学センサは、簡易な構成により被検体からの情報をより多く得ることができる光学センサであり、例えばＤＯＴ等の様々な分野での利用が期待される。
【００８３】
なお、照射系における光源モジュールの数、および検出系における検出モジュールの数は、適宜変更可能である。要は、照射系は、少なくとも１つの光源モジュールを有していれば良い。検出系は、少なくとも１つの検出モジュールを有していれば良い。
【００８４】
また、光源モジュールの構成は、適宜変更可能である。例えば光源モジュールにおけるＬＥＤの数および配置は、適宜変更可能である。また、ＬＥＤアレイにおけるＬＥＤの数、配置、発光波長は、適宜変更可能である。また、レンズ、窓部材や突起状の接触部材を含む光学系の構成も適宜変更可能である。例えば突起状の接触部材の材料は、プラスチック、ウレタン等であっても良い。
【００８５】
また、検出モジュールの構成は、適宜変更可能である。例えば、アパーチャは、必ずしも設けられていなくても良い。検出モジュールにおける受光部の数も適宜変更可能である。また、受光部は、ＰＤ（フォトダイオード）に限らず、要は、光検出器（フォトディテクタ）であれば良い。また、受光部は、単一構造でなくアレイ構造であっても良い。また、検出モジュールは、被検体から出射された光を受光部に集光させるレンズを有していても良い。
【００８６】
以下に、本発明に至った思考プロセスを簡単に説明する。
【００８７】
拡散光トモグラフィー（Ｄｉｆｆｕｓｅ  Ｏｐｔｉｃａｌ  Ｔｏｍｏｇｒａｐｈｙ、ＤＯＴ）は、大脳皮質の各位置でのオキシヘモグロビン・デオキシヘモグロビンの濃度変化が観測光強度変化にどのように反映されるかを計算し、それらの関係から濃度変化を三次元的に推定する手法であり、近年ますます広まってきている（D.A.Boas and A.M.Dale, “Simulation study of magnetic resonance imaging-guided cortically constrained diffuse optical tomography of human brain function”, Applied Optics 44(2005) pp.1957-1968）。
【００８８】
しかしながら、得られる解はあくまで推定値であり、推定精度を向上させるには観測値の情報を増やす必要がある。観測値の情報を増やすには例えば光照射器、光検出器をより高密度にする方法があるが、被験体に装着する手間やコストがかかってしまっていた。そこで、本発明の目的は、手間をかけずに観測値の情報を増やして推定精度を向上させることにある。
【００８９】
本発明の光学センサを用いることにより、光照射器の複数の微小光源から被験体に照射され該被検体を伝播した光の検出データに基づいて精度良く被検体内（例えば生体の大脳皮質内）の各位置の情報（例えばオキシヘモグロビン・デオキシヘモグロビン）の濃度変化を推定できる。
【符号の説明】
【００９０】
１０…光学センサ、１００…光学検査装置、ＬＭ…光源モジュール（光照射器）、ＤＭ…検出モジュール（光検出器）。
【先行技術文献】
【特許文献】
【００９１】
【特許文献１】特許３７７９１３４号公報
【図１】
0006476603.tif 000003
【図２】
0006476603.tif 000004
【図３】
0006476603.tif 000005
【図４】
0006476603.tif 000006
【図５】
0006476603.tif 000007
【図６】
0006476603.tif 000008
【図７】
0006476603.tif 000009
【図８】
0006476603.tif 000010
【図９】
0006476603.tif 000011
【図１０】
0006476603.tif 000012
【図１１】
0006476603.tif 000013
【図１２】
0006476603.tif 000014
【図１３】
0006476603.tif 000015